(57)【要約】【課題】  統合的かつ容易に、２以上の対象の嗜好に応じて、環境を監視および調和するシステムを提供する。【解決手段】  検出機１（および２）において、検出値を検出（検出手段２２および２３）し、監視機３から受信した品質および／または調和計画をディスプレイ（出力部２７および２８）に表示する。監視機３において、予め対象データ１１を更新（更新手段２１）しておき、検出機１（および２）から受信した各検出値と数式、図表等を用いて受動値を求め、該受動値と嗜好を照合し、品質を求め（判定手段２４）、低下した品質が求められると、該品質に関係する全ての対象の嗜好と受動値および調和ルール１２を用いて調和計画を出力（計画手段２５）し、該調和計画および／または品質を関係付けて出力（出力手段２６）し、スピーカ（出力部２９）を鳴らす。調和機４において、監視機３から前記調和計画を受信し、調和した空気を送出（調和手段３０）している。【選択図】      図２
2008202807.tif 000002
【特許請求の範囲】
【請求項１】
環境を監視するシステムであって、２以上の対象について其々嗜好と受動値を用いて品質を求められる判定手段と、少なくとも低下した品質および該品質と強く関係する品質を関係付けて出力可能とする出力手段を備えることを特徴とする。
【請求項２】
コンピュータに環境を監視させるプログラムであって、２以上の対象について其々嗜好と受動値を用いて品質を求め、少なくとも低下した品質および該品質と強く関係する品質を関係付けて出力可能とすることを特徴とする。
【請求項３】
環境を調和するシステムであって、２以上の対象について其々嗜好と受動値を用いて品質を求められる判定手段と、少なくとも低下した品質が求められると、該品質に関係する全ての対象の嗜好と受動値および調和ルールを用いて好適な調和計画を出力可能とする計画手段と、低下した品質を前記調和計画に基づいて好適に改善しようとできる１または２以上の調和手段を備えることを特徴とする。
【発明の詳細な説明】
【技術分野】
【０００１】
本発明は、対象の嗜好に応じて、環境を監視するシステム、または調和するシステムに関する。なお、環境は空気、エネルギー等が対流可能な閉じた空間であって例えばオフィス、水槽の内部であって、対象は環境内に存在するもの、例えば人員、人員の各部、ペット、植物、コンピュータ、西側の床面であって、監視は受動値が対象の嗜好に適合しているか等を監視することであって、調和は受動値を対象の嗜好に適合させようとすることである。
【背景技術】
【０００２】
１の環境であるオフィス内に勤務する各人員が嗜好する温度、湿度等は異なり得る。そこで特許文献１において、リモートコントローラ（以下「ＲＣ」という）に各人員の嗜好を記憶する手段を備え、選択された１の嗜好に応じて空気調和機を制御する技術が開示されている。
【０００３】
しかし、１の嗜好に応じて温度および湿度が調和されたオフィスにおいて、一部の人員は極度に不快と感じかねないし、またコンピュータに好適とも限らない。例え人員用とペット用の其々温度湿度計が備えられ、１の温度湿度計が警告音を発した場合に、該警告音がどの対象を示したものか、事態は深刻か、温度と湿度のどちらを制御すべきか、ペットを離すべきか、等の判断が求められる。全対象に好適な温度と湿度の帯域が僅かしかない場合には、前記警告音は頻繁に鳴って、前記思考は頻繁に求められる。また、オフィス内に散らばる各対象の体感温度を、１の体感温度計を用いて統合的に求めることは困難である。
【特許文献１】日本国特許第３５３９６０７号
【発明の開示】
【発明が解決しようとする課題】
【０００４】
本発明は、統合的かつ容易に、２以上の対象の嗜好に応じて、環境を監視するシステムおよび調和するシステムを提供することを目的とする。
【課題を解決するための手段】
【０００５】
前記目的を達成するために、本発明の環境を監視するシステム（以下「環境監視システム」という）において、２以上の対象について其々嗜好と受動値を用いて品質を求められる判定手段と、少なくとも低下した品質および該品質と強く関係する品質を関係付けて出力可能とする出力手段を備えている。
【０００６】
次に、本発明のコンピュータに環境を監視させるプログラム（以下「環境監視プログラム」という）において、２以上の対象について其々嗜好と受動値を用いて品質を求め、少なくとも低下した品質および該品質と強く関係する品質を関係付けて出力可能とする。
【０００７】
次に、本発明の環境を調和するシステム（以下「環境調和システム」という）において、２以上の対象について其々嗜好と受動値を用いて品質を求められる判定手段と、少なくとも低下した品質が求められると、該品質に関係する全ての対象の嗜好と受動値および調和ルールを用いて好適な調和計画を出力可能とする計画手段と、低下した品質を前記調和計画に基づいて好適に改善しようとできる１または２以上の調和手段を備えている。
【０００８】
なお受動値は、対象が環境から影響を受ける程度を表し、検出機が検出した検出値と数式等を用いて求められ、嗜好は各対象が好む／好まない（ランク分けされた）受動値の帯域であって、検出値と受動値と嗜好は例えば温度、湿度、圧力、体感温度、流速、流量、輻射量、汚染度で表される。対象が「コンピュータ」と「操作員」とすると、品質は例えば「操作員について受動値が嗜好に適合している（または外れている、外れる見込み）」であって、また品質の継続時間情報が加えられ、低下した品質は例えば「コンピュータが５分以内に結露する見込み」であって、調和計画は例えば「オフィスのドア周辺の温度を２℃上げ湿度を５％下げるべき」であって、また更に「調和開始８分後にドア周辺の温度は２５度に湿度は５０％になる見込み」であって、出力手段は例えば「操作員が快適である一方コンピュータが５分以内に結露する見込み」とする文と、「微笑む操作員」と「濡れたコンピュータ」のアイコンと、該２の対象の嗜好と受動値が重ねられた１のグラフを、ディスプレイ（出力部）に表示する。
【０００９】
また本発明のシステムにおいて、前記各手段に加えて、検出値を検出する検出手段と、対象データ（例えば各対象の、嗜好と、選択されている運転モードと、受動値を求める数式等が登録される）と、該対象データを更新するための更新手段と、前記調和計画を求めるための調和ルール（例えば数式、図表等で表現される）を備えている。例えば、１の四角形（２次元のグラフにおいて、コンピュータの嗜好の境界を表す２辺と操作員の嗜好の境界を表す２辺で形成される。各辺に異なる重み、深刻度を付けられる。）が２の嗜好を表して対象データに登録可能とされている。前記判定手段は例えば、予め対象データにオフィスの図と、コンピュータと操作員の位置が登録されることで、立体的な解析手法を用いて各受動値を求められる。また、前記計画手段は環境監視システムにも備えられる。
【００１０】
前記「受動値を求める数式等」は各対象の関係を示しており、例えば「コンピュータ」と「操作員」は近接し、一方の受動値が調和されると他方の受動値も強く影響を被ることから、該２の品質は互いに「強く関係する」とされる。前記「関係付けて出力する」とは例えばグラフ群の中の特に該２のグラフを各受動値を基準にして重ね合わせる、または該２のグラフのタブに同一色を付ける、または低下した品質のグラフを先頭にして関係の強い順にグラフを並べる、等して「強く関係する」グラフを容易な操作で識別可能に表示することである。
【００１１】
本発明のシステムの要部において、まず各検出手段が検出値を検出し、次に判定手段が各検出値と数式または図表等を用いて受動値を求め、該受動値と嗜好を照合し、品質を求め、低下した品質が求められると、次に計画手段が例えば調和目標を絞り込み、更に調和ルールを用いて調和計画（例えば調和目標までの好適な経路）を出力し、次に出力手段が該調和計画および／または低下した品質および該品質と強く関係する品質を関係付けて出力し、次に１または２以上の調和手段が調和を開始する。
【００１２】
環境監視システムは例えば温度センサ等の検出手段とディスプレイ、スピーカ等の出力部と無線通信部を備える２以上の検出機と１の監視機を１セットとする、１または２以上のセットと１のＲＣで構成される。環境調和システムは例えば環境監視システムに調和手段を備える１または２以上の調和機が加えられ構成される。また本発明のシステムについて、監視機が出力部を備えず、テレビ、携帯電話等を出力部として利用可能とすることは有効である。
【発明の効果】
【００１３】
本発明は、次に記載されるような効果を奏する。本発明の環境監視システムについて統合的かつ容易に、例えばオフィスにおいて、多数の対象が快適であっても一部の対象が極端に不快であればそれを警告でき、またどの対象を離すべきかを教示でき、また１の環境に共存が困難な対象の組み合せも教示できる。例えば「人員は寒い一方でコンピュータは快適である」と出力されれば、賢明な人員は服を重ねて着ることを選択できる。また本発明の環境調和システムについて好適な調和計画を出力でき、低下した品質を該調和計画に基づいて好適に改善しようとできる。
【発明を実施するための最良の形態】
【００１４】
以下、本発明の実施の形態を実施例にもとづき図面を参照して説明する。
【実施例１】
【００１５】
実施例１における、図１は環境調和システムが備えられた環境の外観であり、図２は環境調和システムの要部を説明するための処理流れ図であり、図３は対象データに登録された対象リストを説明するための図であり、図４は対象データに登録された各対象の嗜好を説明するための図であり、図５は出力手段により出力されたグラフの一例である。
【００１６】
図１に示すとおり、オフィス９の中に、嗜好が異なる人員５と、人員６と、ペット７と、コンピュータ８が入っている。環境調和システムにおいて、検出機１（および２）と、調和機４と、監視機３は図示されない有線または無線の通信手段を備え、通信可能とされており、温度および湿度が調和された空気が調和機４の底面から送出されている。
【００１７】
図２について、上から下へ図示されない時間軸に従って記載されている。検出機１（および２）において、検出値を検出（検出手段２２および２３）し、該検出値を監視機３へ送信し、監視機３から受信した調和計画および／または品質をディスプレイ（出力部２７および２８）に表示する。一方、監視機３において、感熱手段等を用いて自動的に対象を感知するかまたはＲＣを用いて指図されることで予め対象データ１１を更新（更新手段２１）しておき、検出機１（および２）から受信した各検出値と数式等を用いて受動値を求め、該受動値と嗜好を照合し、品質を求め（以上、判定手段２４）、低下した品質が求められると、該品質に関係する全ての対象の嗜好と受動値および調和ルール１２を用いて好適な調和計画を出力（計画手段２５）し、該調和計画および／または品質を出力（出力手段２６）し、スピーカ（出力部２９）を鳴らす。次に調和機４において、監視機３から前記調和計画を受信し、該調和計画に基づいて調和した空気を送出（調和手段３０）する。判定手段２４は例えば、検出機１の検出値に重み１を付けて、検出機２の検出値に重み９を付けて、人員６の上方の受動値を求めて、該受動値から更に２℃差し引き、人員６の足部の受動値を求める。
【００１８】
図３の対象リストについて、横列は登録された対象を表し、縦行は選択可能な調和モードを表している。横列について上から下へ、図１における人員５の頭部（ａ）、人員６の足部（ｂ）、ペット７の胴部（ｃ）そしてコンピュータ８の頂部（ｄ）が登録され、縦行について左から右へ、省エネルギーモード（Ａ）、標準モード（Ｂ）そして厳密モード（Ｃ）が選択可能とされている。本図において、人員５の頭部（ａ）およびペット７の胴部（ｃ）の嗜好に応じた調和は求められず、人員６の足部（ｂ）の省エネルギーモードによる、コンピュータ８の頂部（ｄ）の標準モードによる調和が求められている。
【００１９】
図４について、グラフ（ａ）は図１における人員５の頭部の嗜好を、グラフ（ｂ）は人員６の足部の嗜好を、グラフ（ｃ）はペット７の胴部の嗜好を、グラフ（ｄ）はコンピュータ８の頂部の嗜好を表している。各グラフについて、横軸は温度を、縦軸は湿度を表しており、丸印は各対象の受動値を表し、３の等高線は外側から内側へ、省エネルギーモード、標準モード、厳密モードを表している。本実施例において、検出値、受動値および嗜好はいずれも温度および湿度の組み合せで表されている。
【００２０】
図５において、図１における人員６の省エネルギーモードを表す等高線３１と、コンピュータ８の標準モードを表す等高線３２が、受動値を表す丸印３３を基準にして重ねられている。２の等高線の重複部は調和目標である。本グラフにおいて、丸印３３は人員６の最も緩い嗜好、即ち省エネルギーモードさえ外れており、判定手段は「受動値が人員６の省エネルギーモードの外にある」とする品質を出力し、出力手段は本グラフの丸印３３および等高線３１の色を警告を表す色に切替え、点滅させる。計画手段は上記調和目標を適宜絞り込み、例えば、総合的な厳密モードが選択されることで調和目標３５まで、また夏期の省エネルギーモードが選択されることで調和目標３４まで、に絞り込み、更に調和ルールを用いて好適な調和計画を出力する。
【図面の簡単な説明】
【００２１】
【図１】実施例１における環境調和システムが備えられた環境の外観である。
【図２】実施例１における環境調和システムの要部を説明するための処理流れ図である。
【図３】実施例１における対象データに登録された対象リストを説明するための図である。
【図４】実施例１における対象データに登録された各対象の嗜好を説明するための図である。
【図５】実施例１における出力手段により出力されたグラフの一例である。
【符号の説明】
【００２２】
１，２  検出機
３  監視機
４  調和機
５，６  人員
７  ペット
８  コンピュータ
９  オフィス
１１  対象データ
１２  調和ルール
２１  更新手段
２２，２３  検出手段
２４  判定手段
２５  計画手段
２６  出力手段
２７，２８，２９  出力部
３０  調和手段
３１，３２，３４，３５  嗜好を表す等高線
３３  受動値を表す丸印
【図１】
2008202807.tif 000003
【図２】
2008202807.tif 000004
【図３】
2008202807.tif 000005
【図４】
2008202807.tif 000006
【図５】
2008202807.tif 000007